(57)【特許請求の範囲】
【請求項１】
電波送受信手段により外部と無線通信を行う無線通信機能と、前記無線通信機能が停止状況であっても使用可能であるその他機能と、を備える無線通信装置であって、
前記無線通信機能停止の状態を点灯と消灯により報知する発光素子を備え、
前記発光素子は、着信を報知する発光素子と同一で構成され、
前記無線通信機能停止の状態の報知は、点灯時間と消灯時間との比において、着信の報知時の時間比に比べて前記点灯時間を短くなるように設定されて構成されることを特徴とする無線通信装置。
【請求項２】
請求項１に記載の無線通信装置において、
前記点灯時間に代えて点滅時間を用いて構成されることを特徴とする無線通信装置。
【請求項３】
請求項１または２に記載の無線通信装置において、
前記無線通信機能停止の状態を報知する発光素子は、着信を報知する発光素子と色彩が区別されて構成されることを特徴とする無線通信装置。
【発明の詳細な説明】
【０００１】
【発明の属する技術分野】
本発明は、無線通信機能をもつ携帯電話機・ＰＨＳ・移動通信端末等の無線通信装置に係り、より詳細には、このような無線通信装置では無線通信機能（無線部等による）のほかに、その他の機能として例えば個人情報等の記憶管理を行うメモリ機能（メモリ部等による）などの他の機能も内蔵しているが、この装置の無線通信機能の動作状況を明確でわかりやすく表示する機能を備えた無線通信装置に関するものである。
【０００２】
【従来の技術】
従来の技術として、特許第２６６３７８３号公報に示される技術がある。ここでは、装置に搭載されているバッテリーの電圧が低くなったときには無線部に対する給電を停止して、無線以外の機能（電話帳・アドレス帳・メール作成・メール管理・音楽の再生や編集・画像の再生や編集など）は使用可能とする携帯通信機が示されている。また、特開平１１−３４０９０１公報に記載の技術では、ユーザーの操作によって無線部を停止にしてしまう携帯電話機が示されている。
【０００３】
【発明が解決しようとする課題】
しかしながら、上述したような従来の装置では、次に示すような種々の問題点がある。
すなわち、携帯電話機等の無線通信装置の給電停止をユーザーらに示す方法については考えがなかった。そこで思いつく方法としては、装置搭載のＬＣＤ（液晶表示部）により画面表示して行うことが考えられる。しかし、ＬＣＤによる表示では、あまり目に付きにくいため、装置無線部の給電を停止していることをユーザーが知らなかったり、設定したことを忘れてしまっていたりすると、肝心の着信をユーザーが受信できないことになる。
【０００４】
また、無線部を停止した状態であっても、メール作成などでＬＣＤの表示は頻繁に切り替えられるため、ＬＣＤに無線部停止中を表示するためのスペースを設けておかなくてはならず、ＬＣＤの表示領域の使用可能な表示領域を狭めてしまうこととなる。
【０００５】
さらに、無線通信装置の一例としての携帯電話装置の場合においては、ユーザーがこの装置の無線部への給電停止を設定したとしても、無線以外の機能（電話帳・アドレス帳・メール作成・メール管理・音楽の再生や編集・画像の再生や編集など）は使用可能の状態となっている。よって、電車・病院・公共の場などのような携帯電話装置による通話を遠慮すべき場所において、良識あるマナーの実行のためユーザーが装置無線部の給電を停止していたとしても、周囲にいる人達にとってはユーザーが無線部の給電を停止させているとの認識ができないため、ユーザーは無線通信装置の電源を切っていないものと見なされ、むしろマナーが悪い人だと誤解される虞がある。
【０００６】
本発明は、上述したような従来の無線通信装置についての問題点に鑑みなされたもので、装置のユーザーおよび周囲にいる人達らにも装置無線部が停止中であることをはっきり分かりやすく知らしめることのできる無線通信装置を提供することを目的とする。
【０００７】
なお、本明細書では無線通信装置の一例としての携帯電話装置について主に記載しているが、この他の無線通信式の電子装置、たとえば、移動無線機（モバイルフォン）・モバイル端末・通信型パソコン・情報通信端末装置・車両用電子装置などのような電子装置であっても、無線通信機能のほかに他の機能（情報メモリ管理機能など）も内臓している電子装置にあっては、本発明が適用できるものである。
【０００８】
【課題を解決するための手段】
上述の課題を解決するために、本発明による無線通信装置は、次のような手段を用いる。
（１）電波送受信手段により外部と無線通信を行う無線通信機能と、前記無線通信機能が停止状況であっても使用可能であるその他機能と、を備える無線通信装置であって、
この無線通信機能停止の状態を点灯と消灯により報知する発光素子を備え、
この発光素子は、着信を報知する発光素子と同一で構成され、
この無線通信機能停止の状態の報知は、点灯時間と消灯時間との比において、着信の報知時の時間比に比べて前記点灯時間を短くなるように設定されて構成される無線通信装置とした。
（２）この無線通信装置において、前記点灯時間に代えて点滅時間を用いて構成される。
（３）これらの無線通信装置において、無線通信機能停止の状態を報知する発光素子は、着信を報知する発光素子と色彩が区別されて構成される。
【０００９】
【発明の実施の形態】
以下、図１〜３に示す添付図面を参照して、本発明による無線通信装置の実施の形態について詳細に説明する。
本発明による無線通信装置のひとつである携帯電話装置は、その構成の一例として図１の機能ブロック図に示すような構成を有している。ここでは、主要な構成要素として、ＣＰＵ（中央演算処理装置）４０、Ｉ／Ｏポート４１とこれに接続される表示部４２（ＬＣＤ等による）、キー操作部４３、着信時や無線通信機能停止状態報知時等に点灯する発光素子としてのＬＥＤ４４、無線部４５、メモリ部４６（ＲＡＭやフラッシュメモリー等を備える）、ＲＯＭ４７、装置へのバッテリーを供給する電源部４８、アンテナ４９を備えている。
【００１０】
この図１において、アンテナ４９が接続される無線部４５は、携帯電話装置における送受信処理をＣＰＵ４０に制御されることにより行なう回路である。すなわち、この無線部４５は音声メッセージ、文字メッセージや画像情報または制御信号等を変調してアンテナ４９より送出したり、アンテナ４９より受信した音声メッセージ・文字メッセージ・画像情報・制御信号等を復調して、ＣＰＵ４０に出力する。
【００１１】
ＣＰＵ４０は、ＲＯＭ４７に記憶された各種制御プログラムや制御データに従って、キー操作部４３からの信号をＩ／Ｏポート４１を経由して受け取り、各種動作処理や無線部４５の送信／受信処理を制御すると共に、表示部４２などを制御する。また、ＣＰＵ４０は、メモリ部４６内にあるＲＡＭまたはフラッシュメモリに接続され、ＲＯＭ４７に記憶されたプログラムを実行するときのワークエリアとしても使用することもできる。このメモリ部４６には、文字・フォント・画像データなどを記憶し、さらには電話帳メモリデータ・音楽・画像などの情報類をも記憶保管している。また、装置に取り込まれて記憶保管されいてる情報類は、無線部４５から外部に送信することができるようになっている。
【００１２】
キー操作部４３は、ＣＰＵ４０の制御に従って表示部４２を駆動して、これの表示を行う。すなわち、キー操作部４３は、ＣＰＵ４０からの制御信号に対応する文字数字等のパターンやアイコン（図形）パターンなどのほか、記憶保管されている情報類をメモリ部４６から読み出し、表示部４２に表示することができる。また、この携帯電話装置では図示してはいないが音声処理部やスピーカ、マイクなどを備えており、この音声処理部はスピーカおよびマイクに接続され、音声処理部により無線部４５で受信した音声信号を増幅してスピーカで出力したり、マイクで入力した音声信号を音声処理部を介してＣＰＵ４０に出力し、無線部４５から送信処理を行うようになっている。
【００１３】
上述のような構成を有する本発明による携帯電話装置は、装置外との電波送受信により無線通信を行う無線通信機能を備え、また、この無線通信機能の他にも、その他の機能として、電話帳・アドレス帳・メール作成・メール管理・音楽の再生や編集・画像の再生や編集などの種々の機能を備えている。
この装置において、装置の無線通信機能が起動中（動作中）であるかまたは停止中であるかの判断はＣＰＵ４０が行い、無線部４５、メモリ部４６、電源部４８、キー操作部４２などによる情報に基づき判断がなされる。そこで、無線通信機能が停止中であるとの判断がなされると、ＣＰＵ４０は、Ｉ／Ｏポート４１を介して信号を出し、停止中の状態であることをユーザーや周囲の人達に報知させるため、ＬＥＤ４４の点灯や点滅の動作をさせるように指令を出す。
【００１４】
このように、携帯電話装置等無線通信装置の無線通信機能が停止状態であるとの判断がなされる場合は、次のようなケースが考えられる。
（１）  ユーザーが無線通信機能を停止するように、装置を設定したとき。
（２）装置の置かれた状況データ等を含む基地局からの情報等により、ＣＰＵ側が無線通信機能を停止させるべきと判断したとき。また、ユーザーらが停止の判断データを提供することによって自動的に無線通信機能を停止させる設定も可能である。
【００１５】
図２は、本発明の上述のケース（１）において、無線通信機能停止のためユーザーが装置無線部の停止設定を行う手順を、画面表示で示した図である。この図で「機能メニュー」の画面から「無線停止設定」の項目を選択して、これを開く（左側画面）。その次に「無線部停止しますか？」に対して「Ｙｅｓ」として設定ＯＮを選択すれば、無線部停止設定が得られる（右側画面）。
また、ユーザーが装置の無線部停止を設定していたとしても、同様のメニュー操作やキー操作を用いることにより無線部給電を再開させることもできる。
【００１６】
さて図３は、本発明の携帯電話装置等無線通信装置における発光素子（ＬＥＤ等）の表示動作（ＯＮ／ＯＦＦ）を、着信中表示と無線部停止中表示を比較して示した図である。この図３で見られるように、本発明の無線通信装置では、無線通信機能の停止状態を報知する発光素子の点滅の間隔は、着信を報知する発光素子の点滅の間隔とは異なるように（図３では無線部停止状態報知を長く、着信報知を短く）設定されて構成されている。また、発光素子点滅時における１回の点灯時間もより短くして設定されてもよい。
【００１７】
通常、着信発光素子は着信時に音響リンガーと同期させて点灯または点滅をさせている。これらの着信発光素子と無線部停止中とをはっきり区別するために、無線部停止中を示す発光素子は、点灯（点滅）時間と消灯時間との比においては、消灯時間に比べて点灯（点滅）時間を短くするのがよい。そして、こうすることで消費電力の軽減につながり、装置の待ち受け時間が短くならないようにするのに寄与している。
【００１８】
さらに、本発明の無線通信装置においては、無線通信機能（無線部）の停止状態を報知する発光素子は、着信を報知する発光素子と色彩的に区別されて構成されるとよい。このとき、発光素子として、２色表示または複数色表示のできる単体の発光素子を用いてもよいし、発色の異なる複数の発光素子を用いても良い。また一例として、着信時の報知は赤色の点滅とし、無線部停止中状態の報知では緑色の点滅を採用するならば、区別が明確であり、ユーザーらには大変分かり易い。
【００１９】
また、無線部は停止されているので着信することはありえないため、無線部停止を報知するためにＬＥＤ等発光素子が点滅している時に着信が発生することがない。よって複雑な点滅の処理を行う必要なしに、ＬＣＤを用いることなく、無線部停止をユーザーに報知することが可能である。
なお、これら発光素子の点灯点滅時間と色彩の選択は、装置の表示部４２を見ながらキー操作部４３によりユーザーらが設定できるものとしてもよい。
【００２０】
そのうえ、本発明の無線通信装置においては、無線通信機能が停止状態であっても、その他の機能は使用可能として構成されてもよい。その他機能としては、個人情報の取得・記憶・管理等を行う機能が代表的であり、電話帳・アドレス帳・メール作成・メール管理・音楽の再生や編集・画像の再生や編集などの種々の機能については、無線部停止中の状態であっても、ユーザーらはそれら機能を利用することができる。
【００２１】
【発明の効果】
上述のように、本発明の無線通信装置によれば、次に述べる優れた効果を発揮する。なお、次の効果の記載は請求項に対応している。
（１）本発明の無線通信装置は、外部との電波送受信により無線通信を行う無線通信機能と、この無線通信機能を除いた機能として情報記憶管理等のその他機能と、を備える無線通信装置であって、この装置の無線通信機能停止の状態を、発光素子の点灯（点滅）により報知されるよう構成されているので、ＬＣＤの表示領域に制限を加えることなく、装置のユーザーのみならず周りにいる人たちにとっても、この装置が無線通信機能を停止した状態にあることをはっきりとわかりやすく報知して認識させることができる。
【００２２】
（２）本発明の無線通信装置は、停止の報知を着信ＬＥＤ（発光素子）と共通にしたことにより、装置の構成部品点数の増加を防ぐことができる。また、無線部の停止時には着信がないので、着信ＬＥＤ（発光素子）は使用する必要がなくなるので、複雑な点滅処理を行うことなく、部品を有効に利用することができる。
【００２３】
（３）本発明の無線通信装置は、無線通信機能の停止状態を報知するＬＥＤ等発光素子の点灯（点滅）時間は、着信を報知するＬＥＤ等発光素子の点灯（点滅）時間より短い時間に設定されて構成されているので、無線通信機能停止状態と着信とが明確に区別できて混同することがなく、無線部停止時においては着信がありえないことが分かっているユーザーに対してさらなる安心感を与えることができ、そのうえ、搭載バッテリーの消耗も防ぐことができる。
【００２４】
（４）本発明の無線通信装置は、無線通信機能の停止状態を報知するＬＥＤ等発光素子は、着信を報知する発光素子と色彩的に区別されて構成されているので、色の違いから視覚を通してさらに明確に区別できてますます混同することがなくなる。
【図面の簡単な説明】
【図１】本発明による無線通信装置の１つである携帯電話装置の構成の一例を示す機能ブロック図である。
【図２】本発明において、無線通信機能停止のためユーザーが装置無線部の停止設定を行う手順を画面表示で示した図である。
【図３】本発明の無線通信装置における発光素子の表示動作（ＯＮ／ＯＦＦ）を、着信中表示と無線部停止中表示を比較して示した図である。
【符号の説明】
４０    ＣＰＵ
４１    Ｉ／Ｏポート
４２    キー操作部
４３    表示部（ＬＣＤなど）
４４    発光素子（ＬＥＤ等）
４５    無線部
４６    メモリ部
４７    ＲＯＭ
４８    電源部
４９    アンテナ
【図１】
0003598063.tif 000002
【図２】
0003598063.tif 000003
【図３】
0003598063.tif 000004